(57)【要約】      （修正有）【課題】蓋体の表面からねじ孔とねじをなくすことにより、背板に取付けた背環の違和感を防止する。【解決手段】左右対称位置に軸支部をそれぞれ設けた背環本体１１と、背負いベルト５の一端を連結環を介して連結する頭部を前記背環本体１１の上部から突出させて下部を前記軸支部に枢動可能に軸支させる揺動アーム２０と、前記背環本体１１の上面全体を覆う蓋体３０とからなるランドセル用背環１０において、皮革または合成皮革からなるカバーシートを前記蓋体３０の外表面と一体に形成し、裏面に取付けた固定板３７から樹立させたねじ軸３８を背環本体１１と背板２に貫通し、該ねじ軸に背板の裏側からナット４４で前記蓋体３０と背環本体１１とを背板２に締着固定したことを特徴とする。【選択図】図７
0003139786.tif 000002
【実用新案登録請求の範囲】
【請求項１】
左右対称位置に軸支部（１２）をそれぞれ設けた背環本体（１１）と、背負いベルト（５）の一端に連結環（２６）を介して連結する頭部（２４）を前記背環本体（１１）の上部から突出させて下部を前記軸支部（１２）に枢動可能に軸支させた揺動アーム（２０）と、前記背環本体（１１）の上面全体を覆う蓋体（３０）とからなるランドセル用背環（１０）において、
皮革または合成皮革からなるカバーシート（３９）を前記蓋体（３０）の表面と一体に形成し、該蓋体の裏面に取付けた金属材により形成した固定板（３７）の表面に樹立させた複数のねじ軸（３８）の先端を前記背環本体（１１）のねじ孔（１５）にそれぞれ挿通し、該背環本体と蓋体（３０）とを背板の裏側から前記ねじ軸（３８）にナット（４４）で螺着固定してなることを特徴とするランドセル用背環。
【請求項２】
ランドセルの背板（２）の表面に被せた皮革または合成皮革からなる保護シート（３）と同一生地により形成した生地層（４１）の裏面に、発泡樹脂材により形成したクッション層（４２）を接着して形成したカバーシート（４０）を前記蓋体（３０）の外表面全体に一体に取付けてなることを特徴とする請求項１記載のランドセル用背環。
【請求項３】
蓋体の表面中央に設けたシート凹部（４７）に、皮革または合成皮革からなる前記カバーシートを接着固定して蓋体（４６）を形成し、該蓋体の表面と、カバーシートの表面とを面一に形成してなることを特徴とする請求項１または２記載のランドセル用背環。
【請求項４】
前記カバーシートの表面に、アニメのキャラクターや動物などの図形を形成してなることを特徴とする請求項１ないし３のいずれか１記載のランドセル用背環。
【請求項５】
左右対称位置に軸支部（１２）をそれぞれ設けた背環本体（１１）と、背負いベルト（５）の一端に連結環（２６）を介して連結する頭部（２４）を前記背環本体（１１）の上部から突出させて下部を前記軸支部（１２）に枢動可能に軸支させた揺動アーム（２０）と、前記背環本体（１１）の上面全体を覆う蓋体（３０）とからなるランドセル用背環（１０）において、
前記背板（２）の表面に被せた皮革または合成皮革からなる保護シート（３）と同一生地により形成した生地層（４１）の裏面に、発泡樹脂材により形成したクッション層（４２）を接着して形成したカバーシート（４０）を、前記蓋体（３０）の外表面全体を接着固定し、前記蓋体（３０）の裏面に取付けた金属材からなる固定板（３７）の表面に樹立させた複数のねじ軸（３８）を前記背環本体（１１）のねじ孔（１５）に挿通し、該背環本体と前記蓋体（３０）とを背板側から前記ねじ軸（３８）をナット（４４）で締着固定してなることを特徴とするランドセル用背環。
【請求項６】
前記カバーシート（４０）の表面に、アニメのキャラクターや動物などの図形を印刷して形成してなることを特徴とする請求項５記載のランドセル用背環。
【考案の詳細な説明】
【技術分野】
【０００１】
本考案は、ランドセルの背板上端中央に位置し、背負ベルトの一端を連結する背環の改良に関する。
【背景技術】
【０００２】
従来、ランドセルを構成する背板の上端中央に取付けられている背環の多くは、軽量化とコストダウンを図るため合成樹脂材により形成した背環が使用されている。例えば、図１１に示すごとく、背環５０は背板に固定する背環本体（図示せず）と、背負いベルトの一端に連結環５８を介して連結する頭部５３を前記背環本体の上部から突出させて下部を背環本体内で枢動可能に軸支した一対の揺動アーム５２と、該揺動アームを保持して背環本体に被せる蓋体５５とにより構成され、前記蓋体５５の表面に設けた複数のねじ孔５６にそれぞれねじ５７を螺合して蓋体５５と背環本体とを締着固定して背環５０を形成している。
【０００３】
したがって、背環５０を正面から見ると、背板の表面に取付けた皮革または合成皮革からなる保護シートの色と明らかに相違し、また、蓋体５５を背環本体に固定するためのねじ穴５６とねじ５７が見えることなどからランドセルの背板の上部中央に背環が取付けられていることが一目で判り違和感が生じる。
【０００４】
そのため、図１２に示すごとく、背環６０の表側にねじ穴５６やねじ５７が見える違和感を防止するため、蓋体６５の表面に装飾金具６６をはとめやねじ６７で固着して取付けたり、背環６０が位置する背板の上方部分を異なる生地を使用することにより背板にアクセントをつけたり、背板の保護シートで背環の一部を覆ったりしてすることにより、ランドセルの背板と背環との違和感を解消することが行われていた。
【０００５】
さらには、ランドセルは通常小学１年生から６年生までの６年間の長期間使用すること、および学童はランドセルの取り扱いが乱暴であることなどから、背環自体や背環に取付けた金具部分などで怪我をするおそれがあるなどの問題点がある。
【考案の開示】
【考案が解決しようとする課題】
【０００６】
本考案が解決しようとする課題は、背板の上部中央に位置した背環の蓋体表面から該蓋体を背環本体に固定するためのねじ穴とねじまたは金具部分をなくすこと、および、蓋体と背板との外観を一体化させることにより、金具による怪我を防止し、背板の見た目をスッキリさせて違和感をなくすことを目的とするものである。
【課題を解決するための手段】
【０００７】
上記課題を達成するために請求項１の考案は、左右対称位置に軸支部１２をそれぞれ設けた背環本体１１と、背負いベルト５の一端に連結環２６を介して連結する頭部２４を前記背環本体１１の上部から突出させて下部を前記軸支部１２に枢動可能に軸支させた揺動アーム２０と、前記背環本体１１の上面全体を覆う蓋体３０とからなるランドセル用背環１０において、皮革または合成皮革からなるカバーシート３９を前記蓋体３０の表面と一体に形成し、該蓋体の裏面に取付けた金属材により形成した固定板３７の表面に樹立させた複数のねじ軸３８の先端を前記背環本体１１のねじ孔１５にそれぞれ挿通し、該背環本体と蓋体３０とを背板の裏側から前記ねじ軸３８にナット４４で螺着固定してなることを特徴とする。また、ランドセルの背板２の表面に被せた皮革または合成皮革からなる保護シート３と同一生地により形成した生地層４１の裏面に、発泡樹脂材により形成したクッション層４２を接着して形成したカバーシート４０を前記蓋体３０の外表面全体に一体に取付けてなることを特徴とする。さらには、蓋体の表面中央に設けたシート凹部４７に、皮革または合成皮革からなる前記カバーシートを接着固定して蓋体４６を形成し、該蓋体の表面と、カバーシートの表面とを面一に形成してなることを特徴とする。さらにはまた、前記カバーシート３９、４０の表面に、アニメのキャラクターや動物などの図形を形成してなることを特徴とする。
【０００８】
したがって、蓋体３０の外表面にカバーシート３９を一体または接着させて形成することにより、蓋体３０の表面にねじ穴とねじまたは金具部分をなくして怪我を防止し、且つ、蓋体３０の表面に背板２の保護シート３と同一生地を使用したことにより背板全体の違和感がなく一体化させることができる。
【０００９】
請求項５の考案は、左右対称位置に軸支部１２をそれぞれ設けた背環本体１１と、背負いベルト５の一端に連結環２６を介して連結する頭部２４を前記背環本体１１の上部から突出させて下部を前記軸支部１２に枢動可能に軸支させた揺動アーム２０と、前記背環本体１１の上面全体を覆う蓋体３０とからなるランドセル用背環１０において、前記背板２の表面に被せた皮革または合成皮革からなる保護シート３と同一生地により形成した生地層４１の裏面に、発泡樹脂材により形成したクッション層４２を接着して形成したカバーシート４０を、前記蓋体３０の外表面全体を接着固定し、前記蓋体３０の裏面に取付けた金属材からなる固定板３７の表面に樹立させた複数のねじ軸３８を前記背環本体１１のねじ孔１５に挿通し、該背環本体と前記蓋体３０とを背板側から前記ねじ軸３８をナット４４で締着固定してなることを特徴とする。また、前記カバーシートの表面に、アニメのキャラクターや動物などの図形を印刷して形成してなることを特徴とする。
【００１０】
したがって、蓋体３０の外表面にカバーシート４０を一体または接着して形成することにより蓋体３０の表面からねじ穴やねじまたは金具部分をなくし、且つ、蓋体３０の表面に背板の保護カバーと同一生地を使用してカバーすることにより背板全体の違和感がなく一体化させることができ、また、カバーシートにクッション性をもたせることにより背環による怪我を防止することができる。
【考案を実施するための最良の形態】
【００１１】
本考案の実施形態を図面に基づいて説明すると、図１は本考案の一形態を示すもので、背環をランドセルの背板に取付けた使用状態の正面図、図２は背環の正面図、図３は背環本体の正面図、図4は揺動アームの正面図、図５は蓋体の裏面図、図６は図５のＡ―Ａ断面図である。背環１０は、合成樹脂材により形成した背環本体１１と、前記背環本体１１内に揺動可能に収容した左右対称に位置した一対の揺動アーム２０と、前記背環本体１１を被う合成樹脂材により形成した蓋体３０と、前記背環本体１１内の揺動アーム２０を付勢するばね（図示せず）とにより構成されている。
前記背環１０は、ランドセル１の背板２の上部中央に位置し、該背環の上端中央に不使用時のランドセルを任意フックに吊下げるための吊下環６を取付け、揺動アーム２０の先端頭部２４に取付けた連結環２６には背負ベルト５の一端を連結してある。
【００１２】
前記吊下環６は、図１に示すごとく、針金の中央を扇状に折り曲げて形成し、下方を狭幅で並行に形成して前記背環１０の吊下溝部３３に挿入し、下端をそれぞれ鉤形に折り曲げて形成した係止部（図示せず）を前記吊下溝部３３の両側に設けた係止段部３２に係止可能に収容してある。
【００１３】
前記背環本体１１は、図３に示すごとく、表面中央の左右対称位置に前記揺動アーム２０を軸支する一対の支持軸１２と、該背環本体と蓋体を前記背板２に取付けるためのねじ孔１５を設け、上端中央の左右対称位置に前記揺動アーム２０の胴部２１を係止する係止壁１６を設けてある。
【００１４】
前記揺動アーム２０は、図４に示すごとく、上方をやや幅広の扇状に形成した胴部２１の下方に前記背環本体１１の支持軸１２に枢動可能に軸支する軸孔２２と、該軸孔の下方にばね孔２３を設け、前記胴部２１の上端には、前記背負いベルト５の一端に取付けた連結環２６の一端を挿通する挿通孔２５を有した頭部２４をそれぞれ一体に形成してある。
【００１５】
蓋体３０は、図５、６に示すごとく、蓋体３０の下方周縁に壁部３１を形成し、上端中央には前記吊下環６の係止部を係止する係止段部３２と吊下環６が挿通する吊下溝部３３とを設け、該係止段部と前記壁部３１との間に前記揺動アーム２０の胴部２１が挿通するアーム溝部３４を形成し、裏面中央の左右対称位置に前記背環本体１１に設けた一対の支持軸１２と合致させる軸止部３５をそれぞれ一体に設けてある。
【００１６】
３７は金属材により形成した固定板で、前記蓋体３０の裏面平坦部分に一体または別体に取付け、該固定板の上面に前記背環本体１１のねじ孔１５と合致する位置に取付ける複数のねじ軸３８は、下端に安定板３８ａを介して樹立させてある。この固定板３７を介して樹立させることによりねじ軸を安定させると共に、このねじ軸３８の先端を前記背環本体１１のねじ孔１５から背板２の裏側に挿通し、この背板２の裏側から座金４３を介してナット４４で背環本体１１と蓋体３０とを背板2に締着固定する。
【００１７】
前記蓋体３０の外表面および側面全体には、皮革または合成皮革からなるカバーシート３９を一体または接着剤により貼り付けて形成する。前記カバーシート３９を、例えば、ランドセル１を構成する背板２の表面に取付けた保護シート３と同一生地を使用することにより、背板２の表面と蓋体３０の表面とを一体化させて背環１０の違和感なく形成することができる。
【００１８】
前記カバーシート３９と蓋体３０との一体成形は、例えば、公知であるインモールド成型により形成することができる。接着剤は、高温多湿下で長期間使用してもカバーシート３９、４０が剥がれたり浮き上がるのを防止することができる公知の接着剤、例えば、クロロプレンゴム系接着剤、エポキシ樹脂系接着剤などを使用して接着する。
【００１９】
図８は、カバーシートの他の実施形態を示したもので、皮革または合成皮革などにより形成した生地層４１の裏面に、発泡樹脂材により形成したクッション層４２を接着してカバーシート４０を形成する。このカバーシート４０を前記蓋体３０の外表面と一体または接着剤で接着して形成することにより、クッション層４２が衝撃を吸収して怪我を防止することができる。
【００２０】
図９、１０は、蓋体の他の実施形態をしましたもので、蓋体４６の表面にカバー凹部４７を設け、該カバー凹部に前記カバーシート３９、４０を接着して形成することにより、蓋体の表面とカバーシート３９、４０の表面とを面一にすることで、カバーシート３９、４０が剥がれるのを防止すると共に、前記カバー凹部の形状を多様な形状に変化させ、その変化した凹部にカバーシート３９、４０の形状を合わせることによりバリエーションに富んだ背環を形成することができると共に、他人のランドセルと差別化することができる。
【００２１】
さらには、前記カバーシート３９、４０は、カバーシート３９、４０の表面にアニメのキャラクターや動物などの図形を印刷することもできる。カバーシート３９、４０の表面に図形を表現すことにより、この図形がワンポイントマークになって、同種のランドセルの中から自分のランドセルを一目で見分けることができるので、ランドセルの取違を防止することができる。
【００２２】
以下、本考案の実施形態の作用について説明すると、ランドセル１の背板２に取付ける背環１０は、背環本体１１を背板２の上部中央に接着剤、はと目などにより固定し、該背環本体の支持軸１２にそれぞれ揺動アーム２０の軸孔２２を枢動可能に軸支し、胴部２１上方を背環本体１１から突出させて頭部２４をばねの作用によって、互いに中央寄りに付勢させる。
【００２３】
揺動アーム２０の揺動範囲は、ばねの作用によってそれぞれ中央寄りに付勢され、中央寄りは係止壁１６で係止され、外方向を蓋体３０のアーム溝部３４の壁部３１の上端で係止される範囲内で揺動する。
【００２４】
次いで、揺動アーム２０を軸支した背環本体１１の上面に、カバーシート３９、４０を一体または接着して形成した蓋体３０を被せて固着することにより背環１０を形成する。前記背環本体１１と蓋体３０との固定は、図7に示すごとく、蓋体３０の固定板３７に樹立させたねじ軸３８に背環本体１１のねじ孔１５と背板２をそれぞれ貫通し、該背板の裏側から座金４３を介して螺号したナット４４で背環本体１１と蓋体３０とを締着固定する。
【００２５】
したがって、蓋体３０の表面側にねじ止用のねじ穴とねじまたは金具部分などを取付けることなく形成することができる。したがって、背環の製造工程を簡略化することができ作業能率の向上を図ることができると共に、背板２に取付けるための飾り金やアクセントを省略することができるので大変経済的で、且つ、金属金具などによる怪我を防止することができる。
【００２６】
前記蓋体３０は、外表面にカバーシート３９、４０を一体または接着することにより、ランドセル１の取り扱いが乱暴で、しかも小学１年生から６年生までの６年の長使用し、さらには高温多湿の生活環境の中であっても剥がれたり、一部が浮き上がったりすることなく長期間使用することができる。特に、蓋体４６の表面に設けたシート凹部４７にカバーシート３９、４０を嵌合接着することにより、蓋体４６の表面とカバーシート３９、４０の表面とが面一になり、ランドセル１の取り扱いを乱暴にしてもカバーシート３９、４０が剥がれるのを防止することができ、また、前記カバー凹部４７の形状やその凹部に嵌めるカバーシート３９、４０の形状を自由に変化させることによりバリエーションに富んだ背環を形成することができる。
【００２７】
また、カバーシート３９、４０の表面にアニメのキャラクターや動物などの図形を印刷することにより、この図形がワンポイントマークになって、同種のランドセルの中から自分のランドセルを一目で見分けることができるので、ランドセルの取違を防止することができる。
【００２８】
さらには、発泡樹脂材により形成したクッション層４１を裏面に接着して形成したカバーシート４０を使用して蓋体３０を形成することにより、背板２の表面から突出した背環１０による怪我を防止することができる。
【図面の簡単な説明】
【００２９】
【図１】本考案の一形態を示すもので、背環をランドセルの背板に取付けた使用状態の正面図である。
【図２】背環の正面図である。
【図３】背環本体の正面図である。
【図４】揺動アームの正面図である。
【図５】蓋体の裏面図である。
【図６】図5のＡ―Ａ断面図である。
【図７】ランドセルの背板に取付けた背環の要部断面図である。
【図８】他の実施例のカバーシートを取付けた蓋体の断面図である。
【図９】蓋体の他の実施例を示す正面図である。
【図１０】図９のＢ―Ｂ断面図である。
【図１１】従来の背環の第１実施例を示す正面図である。
【図１２】従来の背環の第２実施例を示す正面図である。
【符号の説明】
【００３０】
１    ランドセル
２    背板
１０  背環
１１  背環本体
１２  支持軸
１５  ねじ孔
１６  係止壁
２０  揺動アーム
２１  胴部
２２  軸孔
２３  ばね孔
２４  頭部
２６  連結環
３０  蓋体
３１  壁部
３２  係止段部
３３  吊下溝部
３４  アーム溝部
３５  軸止部
３７  固定板
３８  ねじ軸
３９  カバーシート
４０  カバーシート
４４  ナット
【図１】
0003139786.tif 000003
【図２】
0003139786.tif 000004
【図３】
0003139786.tif 000005
【図４】
0003139786.tif 000006
【図５】
0003139786.tif 000007
【図６】
0003139786.tif 000008
【図７】
0003139786.tif 000009
【図８】
0003139786.tif 000010
【図９】
0003139786.tif 000011
【図１０】
0003139786.tif 000012
【図１１】
0003139786.tif 000013
【図１２】
0003139786.tif 000014